(57)【要約】      （修正有）【課題】移動時に収納した眼鏡を傷つけることなく、安定に収納可能なボトル型眼鏡ケースと、販売促進効果の高いボトル型眼鏡ケース用のショーケースとを提供する。【解決手段】着用時に前方を視認できるフロント枠と、左右に折り畳み自在で、かつ、着用者の側頭部に掛け止め可能なテンプルとからなる眼鏡と、この眼鏡を収納する円筒型のボトルＢ、及びボトルＢの開口部３に被せるキャップＣとからなる。【選択図】図３
0003194861.tif 000002
【実用新案登録請求の範囲】
【請求項１】
着用時に前方を視認できるフロント枠（１）と、左右に折り畳み自在で、かつ、着用者の側頭部に掛け止め可能なテンプル（２）・（２）とからなる眼鏡（Ｇ）と、この眼鏡（Ｇ）を収納する円筒型のボトル（Ｂ）、及びボトル（Ｂ）の開口部（３）に被せるキャップ（Ｃ）とからなり、
イ．その内径が、前記フロント枠（１）の前面が前方へ湾曲突出する中央部位からテンプル（２）・（２）の折り畳み端部までのサイズ（ｓ）に適合し、かつ、当該眼鏡フロント枠の上縁から下縁までのサイズ（ｈ）に適合すると共に、
ロ．前記テンプル（２）・（２）を折り畳み状態に枢着された横幅サイズ（ｗ）を有するフロント枠（１）を挿入して収納できるように有底筒状に成形されており、
ハ．かつ、当該ボトル（Ｂ）の成形材料としては、透明プラスチック材を使用し、ボトル（Ｂ）の内部に収納された眼鏡（Ｇ）を外部から透視可能であり、
さらに、キャップ（Ｃ）は当該ボトルに前記眼鏡（Ｇ）を挿入収納した状態でボトル開口部（３）に被せることが可能なるごとく作製したことを特徴とするボトル型眼鏡ケース。
【請求項２】
ボトル（Ｂ）として、三角筒型のボトルを採用したことを特徴とする請求項１に記載のボトル型眼鏡ケース。
【請求項３】
ボトル（Ｂ）として、多角形筒型のボトルを採用したことを特徴とする請求項１に記載のボトル型眼鏡ケース。
【考案の詳細な説明】
【技術分野】
【０００１】
本考案は、眼鏡を挿入収納でき、外部から透視可能なボトル型眼鏡ケースと、そのボトル型眼鏡ケースを陳列して販売に供するためのショーケースに関するものであり、詳しくは、眼鏡を安定に挿入して収納することができ、眼鏡ケースとしても携行することもできるボトル型眼鏡ケースと、ボトル型眼鏡ケースに眼鏡を挿入収納した状態で沢山、見栄え良く店頭に陳列して販売に供することもできる販売促進にも適したショーケースとに関するものである。
【背景技術】
【０００２】
視力矯正のための眼鏡にせよ、紫外線防止用や魚釣り用の偏光グラスを装着したサングラスにせよ、これらを携行するときにはレンズ等を傷つけないように収納しておくケースが必要である。また、眼鏡ケースには眼鏡の枠（フロント枠、テンプル）の状態を狂わせないように保持する機能が要求され、更にケース内の眼鏡を確認できることも必要とされる。
【０００３】
そのため、眼鏡がケースの中でガタガタと動いて傷ついたり、携行時に受ける外力によって変形しては使用に支障をきたす。また、視力矯正用の眼鏡とかサングラス等を複数携行する際には、収納されている眼鏡の種類を確認できないと不便である。
【０００４】
ところで、眼鏡店においては、展示台の上に複数種の眼鏡を陳列して販売に供しているが、裸の眼鏡をそのまま展示するのでは味気なく（特開２０１０−１０２２７８号公報）、販売上も面白くない。また、最近デザイン的に工夫された眼鏡ケースも提案されるようになり、専用の眼鏡ケースも眼鏡と一緒に陳列されることもある。
【０００５】
もっとも、眼鏡ケースを陳列台としても携帯用のケースとしても使用することができる提案としては、特開２００１−３７５２０号公報に開示されるような眼鏡ケースの内装材（文献中図２）がある。しかし、前記内装材（文献中符号１）を眼鏡ケース（文献中符号Ａ）として使用する場合には、眼鏡（文献中符号２）を内装材の眼鏡形状に合致させた凹部（文献中符号３）に眼鏡のレンズ（文献中符号６）の仮面を下向きにして嵌め、その上から蓋部（文献中符号11）を被せ、抑え付けることになる。そうすると、仮に内装材が発泡ウレタン樹脂や軟質のゴム、スポンジ等の素材で作製してあるとしても、当然、眼鏡両側のテンプル（文献中符号８）、及びブリッジ（文献中符号７）は上側からの圧力を受け圧延されて変形するという不都合が生じる。
【０００６】
そこで、本考案者は、眼鏡ケースの中にテンプルを折り畳んだ状態の眼鏡を簡単に差込挿入することが可能で、眼鏡を安定に収納することができ、しかも、ケース外部から収納されている眼鏡の形状、色彩等のデザインを透視できると共に、そのまま眼鏡店の店頭に展示した際にも眼鏡の形状やデザインを顧客に訴求することができて販売促進上も有利なボトル型眼鏡ケースを開発した。
【先行技術文献】
【特許文献】
【０００７】
【特許文献１】特開２００１−３７５２０号公報
【考案の開示】
【考案が解決しようとする課題】
【０００８】
本考案は、移動時に収納した眼鏡を傷つけることなく、安定に収納可能なボトル型眼鏡ケースと、販売促進効果の高いボトル型眼鏡ケース用のショーケースとを提供することにある。
【課題を解決するための手段】
【０００９】
本考案者の上記目的を達成するために採用した手段を添付図面を参照して説明すれば、次のとおりである。
【００１０】
着用時に前方を視認できるフロント枠１と、左右に折り畳み自在で、かつ、着用者の側頭部に掛け止め可能なテンプル２・２とからなる眼鏡Ｇと、この眼鏡Ｇを収納する円筒型のボトルＢ、及びボトルＢの開口部３に被せるキャップＣとからなり、
イ．その内径が、前記フロント枠１の前面が前方へ湾曲突出する中央部位からテンプル２・２の折り畳み端部までのサイズｓに適合し、かつ、当該眼鏡フロント枠の上縁から下縁までのサイズｈに適合すると共に、
ロ．前記テンプル２・２を折り畳み状態に枢着された横幅サイズｗを有するフロント枠１を挿入して収納できるように有底筒状に成形されており、
ハ．かつ、当該ボトルＢの成形材料としては、透明プラスチック材を使用し、ボトルＢの内部に収納された眼鏡Ｇを外部から透視可能であり、
さらに、キャップＣは当該ボトルに前記眼鏡Ｇを挿入収納した状態でボトル開口部３に被せることが可能に作製したことを特徴とする。
【００１１】
また、本考案は、上記課題を解決するために、必要に応じてボトルＢの形状として、三角筒型のボトルや、多角筒型のボトルを採用することができる。
【考案の効果】
【００１２】
ボトル型眼鏡ケースは、透明プラスチック材を成形することにより、ボトル内部に収納された眼鏡を外部から確認することが可能になると共に、眼鏡のサイズに合わせた内径の開口部を有したボトルを使用しているので、収納した眼鏡とケースに大きな隙間が生じず安定に収納でき、かつ、ケース内部で眼鏡が動くことがなくレンズ等が傷つくことを防止することができる。
【００１３】
また、本考案においては、三角筒型のボトルを使用する場合には、取出しに必要な隙間以外は少なくすることができるため、ケース内で眼鏡が動き、レンズ等への傷つきを的確に防止することが可能となる。
【００１４】
また、本考案においては、多角形筒型のボトルを使用した場合には、眼鏡とケースの接点を維持し、ケース内部での動きによる傷つきを防止すると共に、必要な空きスペースを確保することにより、取出し易くすることが可能となる。
【図面の簡単な説明】
【００１５】
【図１】本実施例１のボトル型ケースに収納する眼鏡を示す斜視図である。
【図２】図１の眼鏡のサイズ符号を示す正面図、及び側面図である。
【図３】本実施例１のボトル型眼鏡ケースを示す斜視図である。
【図４】本実施例１のボトル型眼鏡ケースの使用状態を表した正面図である。
【図５】実施例１のボトル型眼鏡ケースを展示するためのショーケースを表す斜視図である。
【図６】実施例１のボトル型眼鏡ケースを展示するためのショーケースを表す斜視図である。
【図７】実施例１のボトル型眼鏡ケースを展示するためのショーケースを表す斜視図である。
【図８】変形例のボトル型眼鏡ケースを表す斜視図である。
【図９】変形例のボトル型眼鏡ケースを表す斜視図である。
【図１０】変形例のボトル型眼鏡ケースを表す斜視図である。
【考案を実施するための形態】
【００１６】
本考案を実施するための形態を、具体的に図示した図面に基づいて、更に詳細に説明すると、次のとおりである。
【００１７】
『実施例１』
本考案の実施例を図１から図５に基づいて説明する。図中、符号Ｇで指示するものは、眼鏡であり、この眼鏡Ｇは、フロント枠１の両端に符号２で指示するテンプルを折り畳み自在に枢着してなる（図１、図２参照）。実施例１は、眼鏡の上から重ねて使用するオーバーグラスを採用した。
【００１８】
また、符号Ｂで指示するものは、眼鏡を収納するためのボトルであり、このボトルＢは透明プラスチック材料を使用し、前記眼鏡Ｇの各部サイズ（符号ｓは、フロント枠１の前面が前方へ湾曲突出する中央部位からテンプル２・２の折り畳み端部までの長さを意味し、符号ｈは、フロント枠１の上縁から下縁までの高さを意味し、符号ｗは、テンプル２・２を折り畳み状態に枢着された厚みを意味する）に合わせた開口部３を設けた有底円筒状に成形され、当該開口部３から眼鏡Ｇを挿入収納する。そして、顔料を混合した樹脂製のキャップを被せて閉口し、ボトル型眼鏡ケースを形成する。
【００１９】
また、符号Ｓで指示するものは、ショーケースであり、上記ボトル型眼鏡ケースを陳列展示する。このショーケースＳは、差込孔41が形成された透明プラスチック板材製の陳列台４を上面にして箱型にしたものと、差込孔41を複数設けた陳列台４を箱状に構成したものとを階段状に組合せて構成される（図５参照）。そして、このショーケースＳの差込孔41・41…に前記ボトル型眼鏡ケースを落とし嵌めして展示される。
【００２０】
上記ショーケースに実施例１のボトル型眼鏡ケースを陳列展示すると、ボトルＢ、及びショーケースＳが透明プラスチック材料で作製されているので、ボトル型眼鏡ケースを陳列した状態において多方向から眼鏡Ｇのデザインを確認することが可能となる。さらに、ボトルＢに色付きのキャップＣを被せることにより、透明なショーケースＳにキャップＣの色が映え、顧客の注目を集めることが可能となり、販売促進効果の向上が期待できる。
【００２１】
図６に示されるショーケースを使用する場合のショーケースＳの構成は、透明プラスチック板材に差込孔41を複数設けて形成した陳列台４の四隅に脚部材42を配設し、陳列台４の対面に脚部材42を介して底板43を連結して二重の板材によって構成すると共に、この底板43の裏面を三角形に形成した土台44の斜面に接合してなり、差込孔41・41…にボトル型眼鏡ケースを挿入して展示される。
【００２２】
これにより、実施例１と同様に透明なショーケースＳにキャップＣの色が映え、顧客の注目を集めることが可能となり、販売促進効果の向上が期待できる。
【００２３】
図７に示されるショーケースを使用する場合のショーケースＳの構成は、プラスチック板材に複数の差込孔41を設けた陳列台４を半分に切断して陳列上棚４aと陳列下棚４ｂとに分割し、この陳列上棚４aと陳列下棚４ｂとを複数の脚部材42で連結してなり、半円形の差込孔41・41…にボトル型眼鏡ケースを配置して展示される。
【００２４】
これにより、上記実施例１と同様の効果が得られるのはもちろんのこと、実施例１、実施例２と比較してショーケースＳが小さく、省スペースになるため、本実施例３のショーケースＳを複数組合せて印象の異なるショーケースを構成することも可能となる。
【００２５】
本明細書と添付図に例示する本考案の実施例は、概ね上記のとおりであるが、本考案は、前述の実施例に限定されるものでは決してなく、「実用新案登録請求の範囲」の記載内において種々の変更が可能であることは言うまでもなく、例えば、次に挙げる変形例は本考案の技術的範囲に属する。
【００２６】
本実施例では、ボトルＢについて円筒状のものを使用するとしたが、請求項に記載があるとおり、三角筒や多角形筒型のボトル（図８、図９、図１０参照）を使用し、ショーケースＳの差込孔41の形状を変更することもできる。また、ボトル型眼鏡ケースを構成するキャップＣについても形状は問わない。
【００２７】
また、実施例１では、キャップＣについて顔料を混合したプラスチック材料から作製されるとしたが、透明プラスチックで作製してもよい。
【００２８】
さらに、本実施例では、眼鏡Ｇについてオーバーグラスを使用するとしたが、視力矯正用の眼鏡や、サングラスであってもよい。
【符号の説明】
【００２９】
Ｇ  眼鏡
１  フロント枠
２  テンプル
Ｂ  ボトル
３  開口部
Ｃ  キャップ
Ｓ  ショーケース
４  陳列台
４a  陳列上棚
４b  陳列下棚
41  差込孔
42  脚部材
43  底板
44  土台
【図１】
0003194861.tif 000003
【図２】
0003194861.tif 000004
【図３】
0003194861.tif 000005
【図４】
0003194861.tif 000006
【図５】
0003194861.tif 000007
【図６】
0003194861.tif 000008
【図７】
0003194861.tif 000009
【図８】
0003194861.tif 000010
【図９】
0003194861.tif 000011
【図１０】
0003194861.tif 000012